(57)【特許請求の範囲】
【請求項１】
南北方向に横断する蓄温蓄涼領域が設けられて蓄温蓄涼機能を有する建物であって、
前記蓄温蓄涼領域は、南側蓄温蓄涼室と、北側蓄温蓄涼室と、これらの間に設けられた中間室とを含んで構成されており、
前記南側蓄温蓄涼室は、南側の面が略全域が開閉可能な開口窓となっている外壁によって、北側の面が略全域が開閉可能な開口窓となっている仕切り壁によって各々仕切られると共に、熱容量の大きな床材からなる南側蓄温蓄涼床を備えており、
前記北側蓄温蓄涼室は、北側の面が略全域が開閉可能な開口窓となっている外壁によって、南側の面が略全域が開閉可能な開口窓となっている仕切り壁によって各々仕切られると共に、熱容量の大きな床材からなる北側蓄温蓄涼床を備えており、
冬には太陽光による日射を南側蓄温蓄涼室に取り込むと共に、夏には北側からの風が前記蓄温蓄涼領域を通過するようにした蓄温蓄涼機能を有する建物。
【請求項２】
前記南側蓄温蓄涼床及び／又は前記北側蓄温蓄涼床は、コンクリート製の土間からなる請求項１に記載の蓄温蓄涼機能を有する建物。
【請求項３】
前記中間室の上方が吹抜け部となっており、前記南側蓄温蓄涼室の上階部分から、前記吹抜け部を介して冬の太陽光による日射を前記北側蓄温蓄涼室に取り込めるようにした請求項１又は２に記載の蓄温蓄涼機能を有する建物。
【請求項４】
前記中間室の吹抜け部の上方には、前記中間室の床から１．５層分の高さ位置に、スキップ床が設けられている請求項３に記載の蓄温蓄涼機能を有する建物。
【請求項５】
前記北側蓄温蓄涼室の北側の面を仕切る外壁が、これの東側及び西側に隣接する外壁よりも内側に食い込んだ凹部に設けられており、該凹部の北側には、植栽が施されている請求項１〜４のいずれかに記載の蓄温蓄涼機能を有する建物。
【発明の詳細な説明】
【技術分野】
【０００１】
本発明は、南北方向に横断する蓄温蓄涼領域が設けられて蓄温蓄涼機能を有する建物に関する。
【背景技術】
【０００２】
気温や湿度などの外部の気候要素は季節や時刻とともに大きく変動するものであり、外部の気候要素のままでは住宅の屋内環境は快適とはいえず、何等かの対策が必要である。電気による冷暖房設備のなかった時代の日本の伝統的な民家では、特に夏場における過し易さに配慮して、日射を遮る厚い屋根や、深い軒や庇を設けると共に、開口を大きく形成して容易に通風が得られるようにするといった工夫がなされていた。
【０００３】
一方、近年の住宅では、充実した冷暖房設備によって、夏は涼しく、冬は暖かい快適な屋内環境が得られるようになっており、さらに住宅の高断熱化や高気密化を図ることによって、エネルギー消費を削減する工夫もなされている。
【０００４】
また、近年の住宅では、高断熱化や高気密化を図った場合でも、冷暖房設備の稼動によるエネルギー消費は年々増加の傾向にあり、地球温暖化などの環境問題を引き起こす要因の一つにもなっている。このようなことから、高断熱化や高気密化が図られた住宅等の建物においても、太陽光による自然の恵みを利用して、より一層の省エネルギー化に寄与できるようにする工夫がなされている（例えば、特許文献１、特許文献２参照）。
【特許文献１】特開２００４−２８５７０４号公報
【特許文献２】特開２００６−３４８７４３号公報
【発明の開示】
【発明が解決しようとする課題】
【０００５】
特許文献１や特許文献２に記載の建物は、コンクリート製の土間が木質系の床等と比べて熱容量が大きいこと着目して、例えば冬場において、日中の太陽光による太陽熱を土間に蓄熱しておき、室温が下がった夜間に蓄熱した太陽熱を土間から居室内に放熱することにより、自然エネルギーを有効活用しつつ快適な室内環境を形成することを可能にして、資源エネルギーや電力使用量の低減を図ることができるようにしたものである。
【０００６】
しかしながら、特許文献１や特許文献２に記載の建物では、例えば夏場の暑い時期においては、遮蔽装置を用いてコンクリート製の土間への太陽光による日射を遮蔽して、室温の上昇を抑制する工夫がなされている。したがって、例えば夏場の暑い時期においては、コンクリート製の土間等の熱容量が大きい床材が必ずしも有効活用されていないことから、例えば冬場の寒い時期のみならず、例えば夏場の暑い時期においても、熱容量が大きい床材を用いて、自然エネルギーを有効活用しつつ快適な室内環境を効率良く形成して、資源エネルギーや電力使用量の低減を効果的に図ることを可能にする新たな建物の開発が望まれている。
【０００７】
本発明は、熱容量が大きい床材を用いて、例えば冬場の寒い時期のみならず、例えば夏場の暑い時期においても、自然エネルギーを有効活用しつつ快適な室内環境を効率良く形成することのできる蓄温蓄涼機能を有する建物を提供することを目的とする。
【課題を解決するための手段】
【０００８】
本発明は、南北方向に横断する蓄温蓄涼領域が設けられて蓄温蓄涼機能を有する建物であって、前記蓄温蓄涼領域は、南側蓄温蓄涼室と、北側蓄温蓄涼室と、これらの間に設けられた中間室とを含んで構成されており、前記南側蓄温蓄涼室は、南側の面が略全域が開閉可能な開口窓となっている外壁によって、北側の面が略全域が開閉可能な開口窓となっている仕切り壁によって各々仕切られると共に、熱容量の大きな床材からなる南側蓄温蓄涼床を備えており、前記北側蓄温蓄涼室は、北側の面が略全域が開閉可能な開口窓となっている外壁によって、南側の面が略全域が開閉可能な開口窓となっている仕切り壁によって各々仕切られると共に、熱容量の大きな床材からなる北側蓄温蓄涼床を備えており、冬には太陽光による日射を南側蓄温蓄涼室に取り込むと共に、夏には北側からの風が前記蓄温蓄涼領域を通過するようにした蓄温蓄涼機能を有する建物を提供することにより、上記目的を達成したものである。
【０００９】
ここで、上記記載における南北方向は、厳密な南北方向を意味するものではなく、略南北方向として、例えば厳密な南北方向から０〜３０度東側又は西側に向いた方向も含まれる。
【００１０】
また、蓄温蓄涼領域の外壁や仕切り壁に設けられる開口窓は、一般の採光可能な窓の他、床面まで採光可能に開いている掃出し窓や、外壁や仕切り壁の略全体が採光可能に開いている開口窓も含まれる。
【００１１】
そして、本発明の蓄温蓄涼機能を有する建物は、前記南側蓄温蓄涼床及び／又は北側蓄温蓄涼床が、コンクリート製の土間からなることが好ましい。
【００１２】
また、本発明の蓄温蓄涼機能を有する建物は、前記中間室の上方が吹抜け部となっており、前記南側蓄温蓄涼室の上階部分から、前記吹抜け部を介して冬の太陽光による日射を前記北側蓄温蓄涼室に取り込めるようにすることが好ましい。
【００１３】
さらに、本発明の蓄温蓄涼機能を有する建物は、前記中間室の吹抜け部の上方には、前記中間室の床から１．５層分の高さ位置に、スキップ床が設けられていることが好ましい。
【００１４】
ここで、上記記載における１．５層分の高さは、一般に２３０〜４００ｃｍ程度の高さを有する建物の１層分の高さに、これの略半分程度の高さを加えて、１層分の高さと２層分の高さの中間部分に位置する高さを略称するものであり、１層分の高さの１．５倍の高さの他、１層分の高さの１．４０〜１．７５倍程度の高さを含むものである。また、スキップ床は、一般に２３０〜４００ｃｍ程度の高さを有する１層分の高さの中間部分の高さ位置に配置される床を略称するものであり、１層分の高さの１／２の高さの他、１層分の高さの４０〜７５％程度の高さ位置に配置される床を含むものである。
【００１５】
さらにまた、本発明の蓄温蓄涼機能を有する建物は、前記北側蓄温蓄涼室の北側の面を仕切る外壁が、これの東側及び西側に隣接する外壁よりも内側に食い込んだ凹部に設けられており、該凹部の北側には、植栽が施されていることが好ましい。
【００１６】
そして、本発明の蓄温蓄涼機能を有する建物によれば、南北方向に横断する蓄温蓄涼領域を備えており、前記蓄温蓄涼領域は、南側蓄温蓄涼室と、北側蓄温蓄涼室と、これらの間に設けられた中間室とを含んで構成されており、南側蓄温蓄涼室は、南側の面が開閉可能な開口窓を有する外壁によって、北側の面が開閉可能な開口窓を有する仕切り壁によって各々仕切られると共に、熱容量の大きな床材からなる南側蓄温蓄涼床を備えており、北側蓄温蓄涼室は、北側の面が開閉可能な開口窓を有する外壁によって、南側の面が開閉可能な開口窓を有する仕切り壁によって各々仕切られると共に、熱容量の大きな床材からなる北側蓄温蓄涼床を備えている。
【００１７】
したがって、例えば夏の暑い時期においては、例えば涼しい夜間に、北側蓄温蓄涼室では、北側の面の外壁の開口窓を開放状態とすると共に、南側の面の仕切り壁の開口窓を開放状態とし、且つ南側蓄温蓄涼室では、南側の面の外壁の開口窓を開放状態とすると共に、北側の面の仕切り壁の開口窓を開放状態として、主として涼風を伴った北側からの風を積極的に取り込みつつ蓄温蓄涼領域をスムーズに通過させることにより、熱容量の大きな床材からなる北側蓄温蓄涼床や南側蓄温蓄涼床に、夜間の風による涼しさを、効率良く蓄涼することが可能になる。
【００１８】
また、例えば夏の暑い昼間に、南側蓄温蓄涼室では、南側の面の外壁の開口窓を閉塞状態とすると共に、北側の面の仕切り壁の開口窓を開放状態として、蓄温蓄涼領域における高断熱化や高気密化を図りつつ、北側蓄温蓄涼床や南側蓄温蓄涼床から夜間に蓄涼された涼しさを屋内に発散させることにより、自然エネルギーを利用して、冷房を不要とするか、或いは冷房のための負荷を効果的に軽減することが可能になる。
【００１９】
一方、例えば冬の寒い時期においては、例えば太陽熱が得られる昼間に、南側蓄温蓄涼室では、南側の面の外壁の開口窓を閉塞状態とすると共に、北側の面の仕切り壁の開口窓を開放状態とし、且つ北側蓄温蓄涼室では、北側の面の外壁の開口窓を閉塞状態とすると共に、南側の面の仕切り壁の開口窓を閉塞状態として、ダイレクトゲインによって太陽光による日射を南側蓄温蓄涼室に積極的に取り込むと共に、両面が閉塞された北側蓄温蓄涼室を熱の緩衝空間として熱が屋外に逃げるのを抑制しつつ、熱容量の大きな床材からなる南側蓄温蓄涼床に、太陽熱による温かさを効率良く蓄温することが可能になる。またこれによって、例えば日没後も温かい屋内環境を形成することが可能になる。
【００２０】
また、例えば冬の寒い夜間に、南側蓄温蓄涼室では、南側の面の外壁の開口窓を閉塞状態とすると共に、北側の面の仕切り壁の開口窓を開放状態とし、且つ北側蓄温蓄涼室では、北側の面の外壁の開口窓を閉塞状態とすると共に、南側の面の仕切り壁の開口窓を閉塞状態として、蓄温蓄涼領域における高断熱化や高気密化を図りつつ、南側蓄温蓄涼床から昼間に蓄温された温かさを屋内に発散させることにより、自然エネルギーを利用して、暖房を不要とするか、或いは暖房のための負荷を効果的に軽減することが可能になる。また南側蓄温蓄涼床から蓄温された温かさが発散されなくなったら、南側蓄温蓄涼室の北側の面の仕切り壁の開口窓を閉塞状態とし、両面が閉塞された南側蓄温蓄涼室を熱の緩衝空間として、蓄温蓄涼領域における高断熱化や高気密化を向上させることにより、暖房のための負荷をさらに効果的に軽減することが可能になる。
【００２１】
そして、本発明の蓄温蓄涼機能を有する建物によれば、南側蓄温蓄涼床及び／又は北側蓄温蓄涼床をコンクリート製の土間とすることにより、熱容量が大きく蓄温蓄涼機能に優れた南側蓄温蓄涼床や北側蓄温蓄涼床を容易に形成することが可能になると共に、南側蓄温蓄涼室や北側蓄温蓄涼室を例えばサンルームや階段室等として、有効利用することが可能になる。
【００２２】
また、本発明の蓄温蓄涼機能を有する建物によれば、前記中間室の上方を吹抜け部とし、前記南側蓄温蓄涼室の上階部分から、前記吹抜け部を介して冬の太陽光による日射を前記北側蓄温蓄涼室に取り込めるようにしておくことにより、蓄温蓄涼機能に優れた北側蓄温蓄涼床にも、太陽熱による温かさを効果的に蓄温することが可能になり、例えば冬の寒い夜間に、北側蓄温蓄涼床からも蓄温された温かさを屋内に発散させることにより、暖房のための負荷をさらに効果的に軽減することが可能になる。
【００２３】
さらに、本発明の蓄温蓄涼機能を有する建物によれば、前記中間室の吹抜け部の上方には、前記中間室の床から１．５層分の高さ位置に、スキップ床を設けておくことにより、吹抜け部の上方の空間を、収納庫や居住部として効率良く利用することが可能になる。
【００２４】
さらにまた、本発明の蓄温蓄涼機能を有する建物によれば、前記北側蓄温蓄涼室の北側の面を仕切る外壁を、これの東側及び西側に隣接する外壁よりも内側に食い込んだ凹部に設け、該凹部の北側には、植栽を施しておくことにより、凹部の北側に設けられた植栽の部分をクールスポツトとして、木の葉の蒸散作用を利用して北側からの風を効果的に冷却することが可能になり、また冷却した北側からの風を、凹部によって両側に逃げるの抑制しつつ、北側蓄温蓄涼室の外壁に設けた開口窓から蓄温蓄涼領域に効率良く取り込むことが可能になる。これらによって、例えば夏の暑い時期に、主として涼風を伴った北側からの風を取り込んで蓄温蓄涼領域を通過させることにより行う、北側蓄温蓄涼床や南側蓄温蓄涼床への蓄涼をさらに効果的に行うことを可能にして、冷房のための負荷をさらに効果的に軽減することが可能になる。
【発明の効果】
【００２５】
本発明の蓄温蓄涼機能を有する建物によれば、熱容量が大きい床部材を用いて、例えば冬場の寒い時期のみならず、例えば夏場の暑い時期においても、自然エネルギーを有効活用しつつ快適な室内環境を効率良く形成することができる。
【発明を実施するための最良の形態】
【００２６】
本発明の好ましい一実施形態に係る蓄温蓄涼機能を有する建物１０は、図１〜図４に示すように、例えば２階建ての木造の住宅建築物であって、中央居住部１１と、東側居住部１２と、西側居住部１３とからなり、中央居住部１１の１階部分２９が、建物１０の南北方向に横断する蓄温蓄涼領域１４となっている。本実施形態の建物１０は、蓄温蓄涼領域１４を備えることにより、例えば冬場の寒い時期に太陽熱による温かさを蓄温できるようにすると共に、例えば夏場の暑い時期に涼風による涼しさを蓄涼できるようにして、自然エネルギーを有効活用しつつ快適な室内環境を効率良く形成することを可能にするものである。
【００２７】
また、本実施形態の建物１０は、例えば夏場の暑い時期に涼しさを得るための、暑さを入れないようにする設備や、熱を逃がす設備や、涼を蓄える設備を種々備えていると共に、例えば冬場の寒い時期に温かさを得るための、熱を取り込む設備や、熱を逃がさない設備や、温かさを蓄える設備を種々備えている。
【００２８】
そして、本実施形態の蓄温蓄涼機能を有する建物１０は、南北方向に横断する蓄温蓄涼領域１４が設けられて蓄温蓄涼機能を有する建物であって、蓄温蓄涼領域１４は、南側蓄温蓄涼室１５と、北側蓄温蓄涼室１６と、これらの間に設けられた中間室１７とを含んで構成されており、南側蓄温蓄涼室１６は、南側の面が開閉可能な開口窓１８ａを有する外壁１８によって、北側の面が開閉可能な開口窓１９ａを有する仕切り壁１９によって各々仕切られると共に、熱容量の大きな床材からなる南側蓄温蓄涼床２０を備えており、北側蓄温蓄涼室１６は、北側の面が開閉可能な開口窓２１ａを有する外壁２１によって、南側の面が開閉可能な開口窓２２ａを有する仕切り壁２２によって各々仕切られると共に、熱容量の大きな床材からなる北側蓄温蓄涼床２３を備えており、冬には太陽光による日射を南側蓄温蓄涼室１５に取り込むと共に、夏には北側からの風が蓄温蓄涼領域１４を通過するようになっている。
【００２９】
また、本実施形態の建物１０では、南側蓄温蓄涼床２０及び北側蓄温蓄涼床２３は、熱容量の大きな床材として、好ましくはコンクリート製の土間によって構成されている。
【００３０】
さらに、本実施形態の建物１０では、中間室１７の中央部分の上方が吹抜け部２４となっており、南側蓄温蓄涼室１６の上階部分２５から、吹抜け部２４を介して冬の太陽光による日射を北側蓄温蓄涼室１６に取り込めるようになっている。また中間室１７の吹抜け部２４の上方には、中間室１７の床から１．５層分の高さ位置に、スキップ床２６が設けられている。
【００３１】
さらにまた、本実施形態の建物１０では、北側蓄温蓄涼室１６の北側の面を仕切る外壁２１が、これの東側及び西側に隣接する外壁よりも内側に食い込んだ凹部２７に設けられており、この凹部２７の北側には、植栽２８が施されている。
【００３２】
本実施形態の建物１０の１階部分２９の間取りとしては、図２に示すように、東側居住部１２の北側角部に位置して、玄関ポーチ３２から出入り可能な、玄関収納室３３ａを備える玄関３３が設けられている。玄関３３の西側にはホール収納庫３４ａを備える玄関ホール３４が設けられており、玄関ホール３４の西側には、中央居住部１１に設けられた蓄温蓄涼領域１４の北側蓄温蓄涼室１６による階段室３５が出入り可能に隣接している。玄関３３の南側には、蓄温蓄涼領域１４の中間室１７によるリビング３６の東側に隣接して、和室３７がリビング３６から出入り可能に設けられており、和室３７の南側には、１階部分２９の南東の角部に配置されて、デッキ部３８が和室３７から出入り可能に設けられている。
【００３３】
東側居住部１２の西側に隣接する中央居住部１１の１階部分２９は、後述する蓄温蓄涼領域１４を構成する部分であり、北側に北側蓄温蓄涼室１６による階段室３５が、中間部分に中間室１７によるリビング３６が、南側に南側蓄温蓄涼室１６によるサンルーム３９が、南北方向に連設して設けられている。また、階段室３５の上方は、２階部分３０の天井面に至る吹抜け部４０となっていると共に、リビング３６の中央部分略２／３の領域の上方が、１．５層分の高さの吹抜け部２４となっている（図１参照）。さらに、リビング３６の東側の部分は、東側居住部１２に一部食い込んでいて、リビング３６を広く形成している。
【００３４】
中央居住部１１の西側に隣接する西側居住部１３の１階部分２９には、リビング３６の西側に配置されてダイニング４１が設けらており、ダイニング４１の北側にはキッチン４２が設けられている。キッチン４２の北側には、１階部分２９の北西の角部に配置されて、洗面室４３、浴室４４、トイレ４５等のよる水廻り領域が設けられている。
【００３５】
中央居住部１１の階段室３５に設けられた階段４６を介して１階部分２９から昇降する建物１０の２階部分３０の間取りとしては、図３に示すように、階段４６の南側に配置されて中央居住部１１の中央部分に２階ホール４７が設けられており、２階ホール４７の東側の東側居住部１２には、クローゼット４８ａ，４９ａの付いた２室の子供部屋４８，４９が、２階部分３０の北東の角部及び南東の角部に配置されて設けられている。
【００３６】
また、２階ホール４７の西側の西側居住部１３には、階段４６の西側に隣接して、２階ホール４７から出入り可能なトイレ５０が設けられていると共に、２階ホール４７の西側の突き当たり部分から出入り可能な西側居住部１３の本体部分として、北側からウォークインクローゼット５１、スタディーコーナー５２、及びベッドルーム５３が、南北方向に連設して設けられている。スタディーコーナー５２及びベッドルーム５３の西側には、ベッドルーム５３から出入り可能な西側バルコニー５４が設けられている。
【００３７】
さらに、中央居住部１１における、リビング３６の上方の吹抜け部２４を挟んだ２階ホール４７とは反対側の南側部分には、２階サンルーム５５が設けられている。この２階サンルーム５５は、２階部分３０の南西の角部に配置されたベッドルーム５３から出入り可能となっている。またベッドルーム５３と吹抜け部２４との間には階段５６が設けられており、この階段５６を介して、吹抜け部２４の上方のスキップ床２６に出入り可能となっている。
【００３８】
さらにまた、建物１０の２階部分３０には、建物１０の東側の面及び南側の面に跨るようにＬ字形に延設して、南東側バルコニー５８が設けられている。この南東側バルコニー５８には、東側居住部１２の各子供部屋４８，４９や中央居住部１１の２階サンルーム５５から、各々出入り可能となっている。
【００３９】
またベッドルーム５３と吹抜け部２４との間に設けられた階段５６を介して昇降するスキップ２階部分のスキップ床２６は、図４に及び図１に示すように、中央居住部１１の１階部分２９に設けられた中間室１７の上方の吹抜け部２４を覆う、中間室１７の床から１．５層分の高さ位置に配置された床部分である。スキップ床２６の上方の天井部分は、屋根裏空間５９に食い込むようにして設けられていることにより、スキップ床２６の上方の空間は、居住者が立ったままの状態で立入ることのできる居住部としての書斎３１となっている。
【００４０】
ここで、中央居住部１１においては、図１に示すように、書斎３１及び２階サンルーム５５の天井部分は、屋根裏空間５９に食い込むようにして設けられている。また、１階部分２９からの吹抜け空間となった階段室３５の上方の吹抜け部４０の天井部分には、屋根裏を貫通して屋根６０から上方に突出する通風採光塔６１が設けられている。さらに、スキップ床２６の南側縁部分における、南側蓄温蓄涼室１６の上階部分２５である２階サンルーム５５の床との間の段差部分には、これの略全域に亘って、開閉可能な開口窓６２が設けられており、スキップ床２６の北側縁部分における、２階ホール４７の床との間の段差部分にもまた、これの略全域に亘って、開閉可能な開口窓６３が設けられている。さらにまた、スキップ床２６の上方の書斎３１と２階サンルーム５５との間の仕切り壁には、開閉可能な開口窓６４が設けられていると共に、スキップ床２６の上方の書斎３１と、２階ホール４７との間の仕切り壁にもまた、開閉可能な開口窓６５が設けられている。
【００４１】
また、中央居住部１１の２階部分３０における南側の外壁は、その略全域が開閉可能な開口窓６６となっていると共に、北側の外壁もまた、その略全域が開閉可能な開口窓６７となっている。
【００４２】
そして、本実施形態では、図１及び図２に示すように、建物１０の１階部分２９の中央居住部１１に、建物１０を南北方向に横断して、南側蓄温蓄涼室１５と、北側蓄温蓄涼室１６と、これらの間に設けられた中間室１７とからなる蓄温蓄涼領域１４が設けられている。
【００４３】
南側蓄温蓄涼室１５は、蓄温蓄涼領域１４の南側に配置されて、例えば太陽熱による温かさを蓄温したり、涼風による涼しさを蓄涼することが可能な部屋部分であって、南側の面を構成する１階部分２９の外壁１８の略全域が開閉可能な開口窓１８ａとなっていると共に、北側の面を構成する中間室１７との間の仕切り壁１９の略全域が開閉可能な開口窓１９ａとなっている。また仕切り壁１９の開口窓１９ａは、その全体を同時に開放できるように、東西の両側に配置された戸袋６８に出入れ可能に収納される引戸形式の開口窓となっている。南側蓄温蓄涼室１５の床部分を構成する南側蓄温蓄涼床２０は、熱容量の大きな床材として、コンクリート製の土間によって形成されている。またコンクリート製の土間は、内装タイルによって覆われている。
【００４４】
北側蓄温蓄涼室１６は、蓄温蓄涼領域１４の北側に配置されて、例えば涼風による涼しさを蓄涼したり、太陽熱による温かさを蓄温することが可能な部屋部分であって、北側の面を構成する１階部分２９の外壁２１の略全域が開閉可能な開口窓２１ａとなっていると共に、南側の面を構成する中間室１７との間の仕切り壁２２の略全域が開閉可能な開口窓２２ａとなっている。また仕切り壁２２の開口窓２２ａは、その全体を同時に開放できるように、東西の両側に配置された戸袋６９に出入れ可能に収納される引戸形式の開口窓となっている。北側蓄温蓄涼室１６の床部分を構成する北側蓄温蓄涼床２３は、熱容量の大きな床材として、コンクリート製の土間によって形成されている。またコンクリート製の土間は、内装タイルによって覆われている。
【００４５】
ここで、南側蓄温蓄涼床２０や北側蓄温蓄涼床２３を形成するための蓄温蓄涼機能に優れた熱容量の大きな床材としては、コンクリートの他、例えばレンガ、石材等を用いることができる。また、南側蓄温蓄涼床２０や北側蓄温蓄涼床２３はいわゆる土間である必要は必ずしも無く、例えば物質が相変化（固体から液体、液体から固体）するときに発生する融解熱や凝固熱を蓄放熱に利用した、公知の各種の潜熱蓄熱材（例えば、商品名「スミターマル」、住化プラスチック（株）製）を、フローリング等の床板部材の下に敷設することによって蓄温蓄涼床２０，２３とすることもできる。
【００４６】
南側蓄温蓄涼室１５と北側蓄温蓄涼室１６との間に挟まれて設けられる中間室１７は、例えば南側蓄温蓄涼床２０や北側蓄温蓄涼床２３に蓄温又は蓄涼された温かさや涼しさを屋内に発散させる際に、これらの温かさや涼しさを南側蓄温蓄涼室１５や北側蓄温蓄涼室１６から当該中間室１７を通過させて発散させることにより、いわゆるバッファ機能を発揮して、建物１０の中央部分から建物１０の屋内の広い範囲に亘って効率良く温かさや涼しさが発散されるようにする機能を備えている。中間室１７は、好ましくは開閉可能な大きな流通開口を介して、東側居住部１２や西側居住部１３と連通している。
【００４７】
そして、本実施形態の蓄温蓄涼機能を有する建物１０は、さらに、例えば夏場の暑い時期に涼しさを得るための、暑さを入れないようにする設備や、熱を逃がす設備や、涼を蓄える設備を種々備えている。また、例えば冬場の寒い時期に温かさを得るための、熱を取り込む設備や、熱を逃がさない設備や、温かさを蓄える設備を種々備えている。
【００４８】
涼しさを得るための暑さを入れないようにする設備としては、例えば屋根６０の南側端部における軒の出が深くなっている。また、南側蓄温蓄涼室１５の南側の外壁１８の外側やダイニング４１の南側の外壁の外側に、パーゴラ日よけを設けることができる。東側居住部１２の１階部分２９のデッキ部３８の外側に庇が設けられており、またブラインドシャッターが設けられている。デッキ部３８は、太陽光反射デッキとなっている。西側居住部１３の１階部分２９のダイニング４１及びキッチン４２の西側の外壁に沿った部分には、すだれレール及びすだれフックにより支持されて、軒先すだれが設けられている。デッキ部３８の南側及びダイニング４１の南側には、落葉樹７０が設けられていると共に、緑化フェンスが設けられいる。屋内に設けられる障子は断熱障子となっている。建物の１０の例えば南側に面した外壁には、中空構造の遮熱タイルが貼られている。
【００４９】
涼しさを得るための熱を逃がすようにする設備としては、例えば上述のように中央居住部１１の屋根６１の北側部分に通風採光塔６１が設けられている。また建物１０の外壁部分に設けられる建具や、仕切り壁部分に設けられる建具の少なくとも一部が、開閉可能な欄間付きの建具となっている。リビング３６と和室３７が、格子建具によって仕切られている。スキップ床２６の一部が通風床となっており、玄関３３のドアが通風玄関ドアとなっている。北側蓄温蓄涼室１６の北側の外壁２１が設けられる凹部２７の北側には、植栽２８が施されてクールスポットとなっている。北側蓄温蓄涼室１６の北側の外壁２１に設けられた開口窓２１ａは地窓によって構成されている。
【００５０】
涼しさを得るための涼を蓄える設備としては、例えば上述の南側蓄温蓄涼室１５や北側蓄温蓄涼室１６を含む蓄温蓄涼領域１４の他、南側蓄温蓄涼床２０や北側蓄温蓄涼床２３のコンクリート製の土間が熱容量の大きな部材からなる内装タイルによって覆われている。
【００５１】
温かさを得るための熱を取り込む設備としては、例えば上述の蓄温蓄涼領域１４における、南側蓄温蓄涼室１５の南側の外壁１８の略全域に形成された、好ましくは断熱透明ガラスからなる大開口の開口窓１８ａや、両側が開口窓１８ａ，１９ａによって仕切られた南側蓄温蓄涼室１５によるサンルーム機能の他、スキップ床２６の南側縁部分の下方が開口窓６２となっていることにより、建物１０の奥まで太陽光を取り込むことができるようになっている。
【００５２】
温かさを得るための熱を逃がさない設備としては、例えば南側蓄温蓄涼室１５の北側の仕切り壁１９を構成する開口窓１９ａに沿って、太鼓貼り内障子やスクリーンパーティションが設けられており、北側蓄温蓄涼室１６の南側の仕切り壁２２を構成する開口窓２２ａに沿って、断熱気密建具が設けられている。さらに、リビング３６の上方の吹抜け部２４を覆うスキップ床２６の両側縁部の段差部分に設けられた開口窓６２，６４には、開閉可能な建具やサーモスクリーンが設けられている。
【００５３】
温かさを得るための温かさを蓄える設備としては、例えば上述の南側蓄温蓄涼室１５や北側蓄温
蓄涼室１６を含む蓄温蓄涼領域１４の他、南側蓄温蓄涼床２０や北側蓄温蓄涼床２３のコンクリート製の土間が熱容量の大きな部材からなる内装タイルによって覆われている。
【００５４】
そして、上述の構成を有する本実施形態の蓄温蓄涼機能を有する建物１０によれば、熱容量が大きい床材（コンクリート製の土間）を用いて、例えば冬場の寒い時期のみならず、例えば夏場の暑い時期においても、自然エネルギーを有効活用しつつ快適な室内環境を効率良く形成することが可能になる。
【００５５】
すなわち、本実施形態の蓄温蓄涼機能を有する建物１０によれば、南北方向に横断する蓄温蓄涼領域１４を備えており、この蓄温蓄涼領域１４は、南側蓄温蓄涼室１５と、北側蓄温蓄涼室１６と、これらの間に設けられた中間室１７とを含んで構成されており、南側蓄温蓄涼室１５は、南側の面が開閉可能な開口窓１８ａを有する外壁１８によって、北側の面が開閉可能な開口窓１９ａを有する仕切り壁１９によって各々仕切られると共に、熱容量の大きな床材からなる南側蓄温蓄涼床２０を備えており、北側蓄温蓄涼室１６は、北側の面が開閉可能な開口窓２１ａを有する外壁２１によって、南側の面が開閉可能な開口窓２２ａを有する仕切り壁２２によって各々仕切られると共に、熱容量の大きな床材からなる北側蓄温蓄涼床２３を備えている。
【００５６】
したがって、例えば夏の暑い時期においては、例えば涼しい夜間に、北側蓄温蓄涼室１６では、北側の面の外壁２１の開口窓２１ａを開放状態とすると共に、南側の面の仕切り壁２２の開口窓２２ａを開放状態とし、且つ南側蓄温蓄涼室１５では、南側の面の外壁１８の開口窓１８ａを開放状態とすると共に、北側の面の仕切り壁１９の開口窓１９ａを開放状態として、主として涼風を伴った北側からの風を積極的に取り込みつつ蓄温蓄涼領域１４をスムーズに通過させることにより、熱容量の大きな床材からなる北側蓄温蓄涼床２３や南側蓄温蓄涼床２０に、夜間の風による涼しさを、効率良く蓄涼することが可能になる。
【００５７】
また、例えば夏の暑い昼間に、北側蓄温蓄涼室１６では、好ましくは北側の面の外壁２１の開口窓２１ａを閉塞状態とすると共に、南側の面の仕切り壁２２の開口窓２２ａを開放状態とし、且つ南側蓄温蓄涼室１５では、南側の面の外壁１８の開口窓１８ａを閉塞状態とすると共に、北側の面の仕切り壁１９の開口窓１９ａを開放状態として、蓄温蓄涼領域１４における高断熱化や高気密化を図りつつ、北側蓄温蓄涼床２３や南側蓄温蓄涼床２０から夜間に蓄涼された涼しさを屋内に発散させることにより、自然エネルギーを利用して、冷房を不要とするか、或いは冷房のための負荷を効果的に軽減することが可能になる。
【００５８】
一方、例えば冬の寒い時期においては、例えば太陽熱が得られる昼間に、南側蓄温蓄涼室１５では、南側の面の外壁１８の開口窓１８ａを閉塞状態とすると共に、北側の面の仕切り壁１９の開口窓１９ａを開放状態とし、且つ北側蓄温蓄涼室１６では、北側の面の外壁２１の開口窓２１ａを閉塞状態とすると共に、南側の面の仕切り壁２２の開口窓２２ａを閉塞状態として、ダイレクトゲインによって太陽光による日射を南側蓄温蓄涼室１５に積極的に取り込むと共に、両面が閉塞された北側蓄温蓄涼室１６を熱の緩衝空間として熱が屋外に逃げるのを抑制しつつ、熱容量の大きな床材からなる南側蓄温蓄涼床２０に、太陽熱による温かさを効率良く蓄温することが可能になる。またこれによって、例えば日没後も温かい屋内環境を形成することが可能になる。
【００５９】
また、例えば冬の寒い夜間に、南側蓄温蓄涼室１５では、南側の面の外壁１８の開口窓１８ａを閉塞状態とすると共に、北側の面の仕切り壁１９の開口窓１９ａを開放状態とし、且つ北側蓄温蓄涼室１６では、北側の面の外壁２１の開口窓２１ａを閉塞状態とすると共に、南側の面の仕切り壁２２の開口窓２２ａを閉塞状態として、蓄温蓄涼領域１４における高断熱化や高気密化を図りつつ、南側蓄温蓄涼床２０から昼間に蓄温された温かさを屋内に発散させることにより、自然エネルギーを利用して、暖房を不要とするか、或いは暖房のための負荷を効果的に軽減することが可能になる。また南側蓄温蓄涼床２０から蓄温された温かさが発散されなくなったら、南側蓄温蓄涼室１５の北側の面の仕切り壁１９の開口窓１９ａを閉塞状態とし、両面が閉塞された南側蓄温蓄涼室１５を熱の緩衝空間として、蓄温蓄涼領域１４における高断熱化や高気密化を向上させることにより、暖房のための負荷をさらに効果的に軽減することが可能になる。
【００６０】
そして、本実施形態の蓄温蓄涼機能を有する建物１０によれば、南側蓄温蓄涼床２０及び北側蓄温蓄涼床２３をコンクリート製の土間としたので、熱容量が大きく蓄温蓄涼機能に優れた南側蓄温蓄涼床２０や北側蓄温蓄涼床２３を容易に形成することが可能になると共に、南側蓄温蓄涼室１５や北側蓄温蓄涼室１６を例えばサンルーム３９や階段室３５等として、有効利用することが可能になる。
【００６１】
また、本実施形態の蓄温蓄涼機能を有する建物１０によれば、中間室１７の上方を吹抜け部２４とし、南側蓄温蓄涼室１５の上階部分２５から、吹抜け部２４を介して冬の太陽光による日射を北側蓄温蓄涼室１６に取り込めるようにしたので、蓄温蓄涼機能に優れた北側蓄温蓄涼床２３にも、太陽熱による温かさを効果的に蓄温することが可能になり、例えば冬の寒い夜間に、北側蓄温蓄涼床２３からも蓄温された温かさを屋内に発散させることにより、暖房のための負荷をさらに効果的に軽減することが可能になる。
【００６２】
さらに、本実施形態の蓄温蓄涼機能を有する建物１０によれば、中間室１７の吹抜け部２４の上方には、中間室１７の床から１．５層分の高さ位置に、スキップ床２６を設けたので、吹抜け部２４の上方の空間を、収納庫や居住部として効率良く利用することが可能になる。
【００６３】
さらにまた、本実施形態の蓄温蓄涼機能を有する建物１０によれば、北側蓄温蓄涼室１６の北側の面を仕切る外壁２１を、これの東側及び西側に隣接する外壁よりも内側に食い込んだ凹部２７に設け、凹部２７の北側には、植栽２８を施したので、凹部２７の北側に設けられた植栽２８の部分をクールスポツトとして、木の葉の蒸散作用を利用して北側からの風を効果的に冷却することが可能になり、また冷却した北側からの風を、凹部２７によって両側に逃げるの抑制しつつ、北側蓄温蓄涼室１６の外壁２１に設けた開口窓２１ａから蓄温蓄涼領域１４に効率良く取り込むことが可能になる。これらによって、例えば夏の暑い時期に、主として涼風を伴った北側からの風を取り込んで蓄温蓄涼領域１４を通過させることにより行う、北側蓄温蓄涼床２３や南側蓄温蓄涼床２０への蓄涼をさらに効果的に行うことを可能にして、冷房のための負荷をさらに効果的に軽減することが可能になる。
【００６４】
なお、本発明は上記実施形態に限定されることなく種々の変更が可能である。例えば、南側蓄温蓄涼床及び北側蓄温蓄涼床を、双方共にコンクリート製の土間によって形成する必要は必ずしもなく、いずれか一方のみをコンクリート製の土間とし、他方のその他の熱容量の大きな床材を用いて形成することもできる。また、蓄温蓄涼領域は、建物を南北方向に横断していれば良く、東側居住部と西側居住部との間の中央居住部に設けられる必要は必ずしもない。さらに、本発明は、木造の住宅建築物に限定されることなく、その他の種々の建物に適用することができ、また２階建ての建物に限定されることなく、１階部分を２階部分以上の部分に置き換えて、例えば３階建て以上の建物に適用することもできる。
【図面の簡単な説明】
【００６５】
【図１】本発明の好ましい一実施形態に係る蓄温蓄涼機能を有する建物の要部を説明する、図２のＡ−Ａに沿った断面図である。
【図２】本発明の好ましい一実施形態に係る蓄温蓄涼機能を有する建物の構成を説明する、図１のＢ−Ｂに沿った断面よる１階部分の間取り図である。
【図３】本発明の好ましい一実施形態に係る蓄温蓄涼機能を有する建物の構成を説明する、図１のＣ−Ｃに沿った断面よる２階部分の間取り図である。
【図４】本発明の好ましい一実施形態に係る蓄温蓄涼機能を有する建物の構成を説明する、図１のＤ−Ｄに沿った断面よるスキップ２階部分の間取り図である。
【符号の説明】
【００６６】
１０  蓄温蓄涼機能を有する建物
１１  中央居住部
１２  東側居住部
１３  西側居住部
１４  蓄温蓄涼領域
１５  南側蓄温蓄涼室
１６  北側蓄温蓄涼室
１７  中間室
１８  南側蓄温蓄涼室の南側の外壁
１８ａ  外壁に設けられら開口窓
１９  南側蓄温蓄涼室の北側の仕切り壁
１９ａ  仕切り壁に設けられら開口窓
２０  南側蓄温蓄涼床
２１  北側蓄温蓄涼室の北側の外壁
２１ａ  外壁に設けられら開口窓
２２  北側蓄温蓄涼室の南側の仕切り壁
２２ａ  仕切り壁に設けられら開口窓
２３  南側蓄温蓄涼床
２４  中間室の上方の吹抜け部
２５  南側蓄温蓄涼室の上階部分
２６  スキップ床
２７  凹部
２８  植栽
２９  建物の１階部分
３０  建物の２階部分
【図１】
0004974920.tif 000002
【図２】
0004974920.tif 000003
【図３】
0004974920.tif 000004
【図４】
0004974920.tif 000005